(57)【要約】【課題】信号線の少なくとも一部にアルミニウム電線又はアルミニウム合金電線を使用しても、サイズアップを抑制しつつ、組み付け時の作業性の低下を抑制可能な配線システムを提供することを目的とする。【解決手段】配線システム２０は、デジタル信号用電線ＷＤを含む。配線システム２０は、デジタル信号用電線ＷＤとして、アルミニウム電線又はアルミニウム合金電線を含む。【選択図】図１
2019114496.tif 000002
【特許請求の範囲】
【請求項１】
デジタル信号用電線を含む配線システムであって、
前記デジタル信号用電線は、アルミニウム電線又はアルミニウム合金電線を含む、配線システム。
【請求項２】
請求項１に記載の配線システムであって、
前記デジタル信号用電線は、
単位長さ当りの抵抗が２１０ｍΩ／ｍ以下であるアルミニウム電線又アルミニウム合金電線を含む、配線システム。
【請求項３】
請求項１又は請求項２に記載の配線システムであって、
前記デジタル信号用電線は、
単位長さ当りの抵抗が１１０ｍΩ／ｍ以上のアルミニウム電線又はアルミニウム合金電線を含む、配線システム。
【請求項４】
請求項１から請求項３のいずれか１項に記載の配線システムであって、
前記デジタル信号用電線を複数含み、
前記複数のデジタル信号用電線の全てがアルミニウム電線又はアルミニウム合金電線である、配線システム。
【請求項５】
請求項４に記載の配線システムであって、
前記複数のデジタル信号用電線の全てが単位長さ当りの抵抗が２１０ｍΩ／ｍ以下であるアルミニウム電線又アルミニウム合金電線である、配線システム。
【請求項６】
請求項４又は請求項５に記載の配線システムであって、
前記複数のデジタル信号用電線の全てが、単位長さ当りの抵抗が１１０ｍΩ／ｍ以上のアルミニウム電線又はアルミニウム合金電線である、配線システム。
【請求項７】
請求項１から請求項６のいずれか１項に記載の配線システムであって、
前記アルミニウム電線又は前記アルミニウム合金電線は、導体断面積が０．３５ｍｍ２である電線である、配線システム。
【請求項８】
請求項１から請求項７のいずれか１項に記載の配線システムであって、
アナログ信号用電線を含み、
前記アナログ信号用電線は、銅電線又は銅合金電線を含む、配線システム。
【発明の詳細な説明】
【技術分野】
【０００１】
この発明は、車両等に搭載される配線システムに関する。
【背景技術】
【０００２】
特許文献１は、バッテリからの電力を各種機器に供給すると共に、前記各種機器同士で信号を伝達するワイヤーハーネスを開示している。このワイヤーハーネスは、車両の左右に離間して設けられる２つのジャンクションボックスと、前記２つのジャンクションボックスの内部又は外部に設けられ、多重通信を行うための２つの制御機器と、前記バッテリから前記２つのジャンクションボックスに対して電力を供給する第１電源線と、前記２つのジャンクションボックスから前記各種機器に対して電力供給するための第２電源線と、前記２つの制御機器と前記各種機器との間で信号伝達を行う信号線と、前記２つの制御機器間に設けられ、当該２つの制御機器によって多重通信が行われる電線である幹線と、を備えており、前記第１電源線、前記第２電源線、前記信号線及び前記幹線の少なくとも一部はアルミニウムを含む導体により構成されている。ワイヤーハーネスの１つの態様として、前記第１電源線、及び前記第２電源線からなる電源線群を構成する電線は、アルミニウムを含まない導体により構成され、前記信号線及び前記幹線からなる信号線群を構成する電線は、アルミニウムを含む導体により構成されている例が開示されている。
【先行技術文献】
【特許文献】
【０００３】
【特許文献１】特開２０１６−１１０８１１号公報
【発明の概要】
【発明が解決しようとする課題】
【０００４】
ところで、車両においては、各部の電動化、自動運転等に向け、センサ、ＥＣＵ（電子制御ユニット）等の機器類の増加が見込まれる。また、増加した機器類同士を接続するため、車両において複数のネットワークが構築され、これに伴い、各ネットワーク間を接続するゲートウエイが多数、分散して配置されることが予想される。
【０００５】
このように、機器類の増加及び多数のゲートウエイの分散配置により、ゲートウエイ相互間を接続する電線、各ゲートウエイと各機器間を接続する電線、機器間を接続する電線等が増加する傾向となる。電線本数が増加すると、車両重量が重くなり、燃費の悪化に繋がる。
【０００６】
電線をアルミニウム電線又はアルミニウム合金電線に置換えることで、全体的な配線用電線な軽量化を図ることができる。その解決策として、特許文献１には、アルミニウムを含む導体を信号線に使用することが開示されている。
【０００７】
しかし、信号線はアナログ回路とデジタル回路に大別されるところ、アナログ回路にアルミニウムを含む導体を使用すると、導体抵抗合わせの関係上、アルミニウムを含む導体は銅よりも導体抵抗が高いことからサイズアップしてしまう。すると、軽量化効果が薄れ、燃費改善効果に乏しくなるという問題がある。また一つのワイヤーハーネスに占めるアルミニウム導体が多くなるところ、一般にアルミニウムは銅よりも屈曲特性が悪くなる傾向にあるため、ハーネス全体の屈曲特性の低下を招き、組み付け時や加工時の取り回しが困難になり、作業性が悪くなるという問題がある。
【０００８】
そこで、本発明は、信号線の少なくとも一部にアルミニウム電線又はアルミニウム合金電線を使用しても、サイズアップを抑制しつつ、組み付け時の作業性の低下を抑制可能な配線システムを提供することを目的とする。
【課題を解決するための手段】
【０００９】
上記課題を解決するため、第１の態様は、デジタル信号用電線を含む配線システムであって、前記デジタル信号用電線は、アルミニウム電線又はアルミニウム合金電線を含む。
【００１０】
第２の態様は、第１の態様に係る配線システムであって、前記デジタル信号用電線は、単位長さ当りの抵抗が２１０ｍΩ／ｍ以下であるアルミニウム電線又アルミニウム合金電線を含む。
【００１１】
第３の態様は、第１又は第２の態様に係る配線システムであって、前記デジタル信号用電線は、単位長さ当りの抵抗が１１０ｍΩ／ｍ以上のアルミニウム電線又はアルミニウム合金電線を含む。
【００１２】
第４の態様は、第１から第３のいずれか１つの態様に係る配線システムであって、前記デジタル信号用電線を複数含み、前記複数のデジタル信号用電線の全てがアルミニウム電線又はアルミニウム合金電線である。
【００１３】
第５の態様は、第４の態様に係る配線システムであって、前記複数のデジタル信号用電線の全てが単位長さ当りの抵抗が２１０ｍΩ／ｍ以下であるアルミニウム電線又アルミニウム合金電線である。
【００１４】
第６の態様は、第４又は第５の態様に係る配線システムであって、前記複数のデジタル信号用電線の全てが、単位長さ当りの抵抗が１１０ｍΩ／ｍ以上のアルミニウム電線又はアルミニウム合金電線である。
【００１５】
第７の態様は、第１から第６のいずれか１つの態様に係る配線システムであって、前記アルミニウム電線又は前記アルミニウム合金電線は、導体断面積が０．３５ｍｍ２である電線である。
【００１６】
第８の態様は、第１から第７のいずれか１つの態様に係る配線システムであって、アナログ信号用電線を含み、前記アナログ信号用電線は、銅電線又は銅合金電線を含む。
【発明の効果】
【００１７】
デジタル信号では、動作もしく判別する閾値電圧をユーザー側で適宜設定できることからアナログ信号のような導体抵抗合わせをする必要がない。このため、第１の態様のように、前記デジタル信号用電線は、アルミニウム電線又はアルミニウム合金電線を含む構成とした場合に、導体抵抗合せのために、銅電線又は銅合金電線の導体抵抗と整合させるように大きくサイズアップする必要が無い。結果、例えば、銅電線又は銅合金電線と同径のアルミニウム電線又はアルミニウム合金電線を使用することが可能となる。このため、信号用電線の少なくとも一部にアルミニウム電線又はアルミニウム合金電線を使用してもサイズアップを抑制しつつ、組み付け時の作業性の低下を抑制することができる。
【００１８】
第２の態様によると、デジタル信号用電線は、２１０ｍΩ／ｍ以下のアルミニウム電線又アルミニウム合金電線を含むため、デジタル信号の伝送に適した抵抗を担保することができる。
【００１９】
第３の態様によると、デジタル信号用電線は、単位長さ当りの抵抗が１１０ｍΩ／ｍを超えるアルミニウム電線又はアルミニウム合金電線を含むため、さらにサイズアップを抑制しつつ屈曲性の低下を抑制することができる。
【００２０】
第４の態様によると、より効果的に、信号用電線の少なくとも一部にアルミニウム電線又はアルミニウム合金電線を使用してもサイズアップを抑制しつつ、組み付け時の作業性の低下を抑制することができる。
【００２１】
第５の態様によると、より効果的にデジタル信号の伝送に適した抵抗を担保することができる。
【００２２】
第６の態様によると、さらにサイズアップを抑制しつつ屈曲性の低下を抑制することができる。
【００２３】
第７の態様によると、導体断面積が０．３５ｍｍ２である電線を用いて、サイズアップを抑制しつつ屈曲性の低下を抑制することができる。
【００２４】
アナログ信号では、導体抵抗合せの必要性から、アルミニウム電線又はアルミニウム合金電線を用いると、サイズアップする上に、屈曲特性が低下してしまう。そこで、第８の態様のように、アナログ信号用電線は、銅電線又は銅合金電線を含む構成とすることで、アナログ信号用電線についても、サイズアップを抑制しつつ、組み付け時の作業性の低下を抑制することができる。この場合、デジタル信号用電線が、アルミニウム電線又はアルミニウム合金電線を含む構成とした分、配線システム全体としてサイズアップを抑制しつつ、組み付け時の作業性の低下を抑制することができる。
【図面の簡単な説明】
【００２５】
【図１】実施形態に係る配線システムを示す概略図である。
【図２】電線の断面図である。
【図３】導体断面積と導体抵抗との関係を示す図である。
【図４】変形例に係る配線システムを示す概略図である。
【発明を実施するための形態】
【００２６】
以下、第１実施形態に係る配線システムについて説明する。図１は、車両１０に組み付けられた配線システム２０を示す概略図である。
【００２７】
車両１０には、電気機器が搭載されている。電気機器の例としては、ゲートウエイＧＷ１〜ＧＷ４、各種機器Ｄ１〜Ｄ６であること等が考えられる。
【００２８】
ゲートウエイＧＷ１〜ＧＷ４は、複数のネットワーク同士を接続する通信中継装置である。ゲートウエイＧＷ１〜ＧＷ４は、車両１０において、分散して配置されてもよい。
【００２９】
ゲートウエイＧＷ１〜ＧＷ４の１つ又は複数には、ＥＣＵ（電子制御ユニット）が組込まれ、或は、接続されていてもよい。ＥＣＵは、各種機器Ｄ１〜Ｄ６のいずれかからの信号を受信したり、各種機器Ｄ１〜Ｄ６のいずれかに対して制御信号を送信したりすることで、車両１０の各機器を制御する。
【００３０】
各種機器Ｄ１〜Ｄ６は、車両１０の各部を駆動するモータ、ライト等、車両１０の各部の状態を検出するセンサ等である。
【００３１】
配線システム２０は、車両１０等に搭載されるゲートウエイＧＷ１〜ＧＷ４、各種機器Ｄ１〜Ｄ６等の電気機器同士を電気的に接続する。配線システム２０は、ゲートウエイＧＷ１〜ＧＷ４同士を接続する電線Ｗ、及び、ゲートウエイＧＷ１〜ＧＷ４と各種機器Ｄ１〜Ｄ６とを接続する電線Ｗとを含む。
【００３２】
電線Ｗは、図２に示すように、芯線Ｗａと、芯線Ｗａの周囲を覆う被覆Ｗｂとを含む。
【００３３】
芯線Ｗａは、アルミニウム、アルミニウムを主成分とするアルミニウム合金、銅、又は、銅を主成分とする銅合金製の線状部材である。芯線Ｗａがアルミニウムである電線Ｗをアルミニウム電線といい、芯線Ｗａがアルミニウム合金であるものをアルミニウム合金電線という。芯線Ｗａが銅である電線Ｗを銅電線といい、芯線Ｗａが銅合金であるものを銅合金電線という。芯線Ｗａは、複数の素線が撚り合わされた撚り合わせ線であってもよいし、単一の素線により構成されていてもよい。芯線Ｗａが撚り合わせ線である場合、複数の素線が圧縮されていてもよいし、圧縮されていなくてもよい。図２では、芯線Ｗａが、複数の素線が撚り合わされて圧縮された圧縮撚り合わせ線である場合を示している。
【００３４】
被覆Ｗｂは、芯線Ｗａの周囲に加熱軟化した樹脂を押出被覆すること等により形成されている。
【００３５】
配線システム２０は、複数の電線Ｗがコネクタを介して接続されること、複数の電線Ｗ同士が結束バンド、粘着テープ等によって束ねられた状態に維持されること等によって、物理的に１つの形態にまとまったワイヤーハーネスによって構成されていてもよい。配線システム２０は、１つのワイヤーハーネスによって構成されていてもよいし、複数のワイヤーハーネスによって構成されていてもよい。
【００３６】
配線システム２０に沿って電力供給用の電源線が配設されていてもよい。電源線は、上記電線Ｗと束ねられていてもよいし、電線Ｗとは別体であってもよい。
【００３７】
配線システム２０は、デジタル信号用電線ＷＤを含む。デジタル信号用電線ＷＤは、ゲートウエイＧＷ１〜ＧＷ４間、又は、ゲートウエイＧＷ１〜ＧＷ４のいずれかと各種機器Ｄ１〜Ｄ６のいずれかとの間で、デジタル信号を伝送する伝送媒体である。デジタル信号の規格については特に限定されないが、ＣＡＮ（Controller Area Network）、イーサネット（登録商標）、ＬＩＮ（Local Interconnect Network）、ＣＸＩＰ（Clock Extension Peripheral Interface）等が挙げられる。
【００３８】
配線システム２０は、ゲートウエイＧＷ１〜ＧＷ４、各種機器Ｄ１〜Ｄ６の数等に応じて、１つ又は複数のデジタル信号用電線ＷＤを含む。ここでは、配線システム２０は、複数のデジタル信号用電線ＷＤを含む。
【００３９】
デジタル信号用電線ＷＤは、アルミニウム電線又はアルミニウム合金電線を含む。デジタル信号用電線ＷＤが複数設けられる場合、複数のデジタル信号用電線ＷＤのうちの一部又は全部がアルミニウム電線又はアルミニウム合金電線である。
【００４０】
デジタル信号用電線ＷＤがアルミニウム電線又はアルミニウム合金電線を含む構成とすることによって、次のメリットを得ることができる。
【００４１】
すなわち、デジタル信号では、動作電圧もしくは信号を判別する閾値電圧をユーザー側で適宜設定することができる。このため、従来、銅電線又は銅合金電線を用いていた配線を、アルミニウム電線又はアルミニウム合金電線に置き換えたとしても、従来、用いていた銅電線又は銅合金電線に整合させるように、導体抵抗合せをする必要が無い。このため、導体抵抗合せのために、銅電線又は銅合金電線の導体抵抗と整合させるように、アルミニウム電線又はアルミニウム合金電線を大きくサイズ（導体断面積）アップする必要が無い。結果、例えば、従来用いていた銅電線又は銅合金電線と同サイズ又はそれよりも多少大きい程度のサイズのアルミニウム電線又はアルミニウム合金電線を使用することが可能となる。このため、信号用電線の少なくとも一部にアルミニウム電線又はアルミニウム合金電線を使用してもサイズアップを抑制しつつ、組み付け時の作業性の低下を抑制することができる。また、デジタル信号用電線ＷＤとしてアルミニウム電線又アルミニウム合金電線を用いることで軽量化にも貢献する。配線システム２０が軽量化すれば、燃費向上にも繋がる。
【００４２】
上記メリットは、複数のデジタル信号用電線ＷＤのうちの一部をアルミニウム電線又はアルミニウム合金電線とした場合でもある程度享受できる。複数のデジタル信号用電線ＷＤの全てをアルミニウム電線又はアルミニウム合金電線とすることで、上記メリットを大きく享受できる。
【００４３】
また、配線システム２０は、１つ又は複数のアナログ信号用電線ＷＡを含む。ここでは、配線システム２０は、複数のアナログ信号用電線ＷＡを含む。
【００４４】
アナログ信号用電線ＷＡは、銅電線又は銅合金電線を含んでもよい。
【００４５】
すなわち、アナログ信号では、伝送路の抵抗が変動すると、出力電圧も変動してしまう。入力側の電圧に応じた電圧を出力側で検出可能とするため、伝送路が所定の抵抗を持つものとして配線システムが設定されている。このため、従来、銅電線又は銅合金電線を用いていた配線を、アルミニウム電線又はアルミニウム合金電線に置換えた場合、従来用いていた銅電線又は銅合金電線に整合させるように、アルミニウム電線又アルミニウム合金電線の導体抵抗合せをする必要が生じる。同じサイズの銅電線又は銅合金電線とアルミニウム電線又はアルミニウム合金電線とを比較すると、前者の方が後者よりも抵抗が大きい。このため、抵抗合せを行うと、従来用いていた銅電線又は銅合金電線と比較して、アルミニウム電線又はアルミニウム合金電線を大きくサイズアップする必要が生じる。また、サイズアップの結果、屈曲性が低下し、組み付け時の作業性が低下してしまう恐れがある。このため、デジタル信号用電線ＷＤをアルミニウム電線又アルミニウム合金電線に置換える場合と比較して、アナログ信号用電線ＷＡについてはアルミニウム電線又アルミニウム合金電線に置換えるメリットが少ない。
【００４６】
このため、アナログ信号用電線ＷＡは、銅電線又は銅合金電線を含んでもよい。複数のアナログ信号用電線ＷＡが設けられる場合、それらの一部が銅電線又は銅合金電線であり、残りがアルミニウム電線又アルミニウム合金電線であってもよい。また、複数のアナログ信号用電線ＷＡの全てが銅電線又は銅合金線であってもよい。
【００４７】
むしろ、アナログ信号用電線ＷＡが、銅電線又は銅合金電線を含む構成とすることで、アナログ信号用電線についても、サイズアップを抑制しつつ、組み付け時の作業性の低下を抑制することができる。
【００４８】
この場合であっても、上記のように、デジタル信号用電線ＷＤが、アルミニウム電線又はアルミニウム合金電線を含む構成とした分、配線システム２０全体としてサイズアップを抑制しつつ、組み付け時の作業性の低下を抑制することができる。
【００４９】
図３にアルミニウム電線又アルミニウム合金電線及び銅電線又は銅合金電線それぞれについて、導体断面積と導体抵抗との関係を示す。図３においては、アルミニウム電線又アルミニウム合金電線の上記関係がＡｌ系の曲線として示され、銅電線又は銅合金電線の上記関係がＣｕ系の曲線として示されている。
【００５０】
上記デジタル信号用電線ＷＤとして用いられるアルミニウム電線又アルミニウム合金電線の単位長さ当りの抵抗は、２１０ｍΩ／ｍ以下としてもよい。
【００５１】
アルミニウム電線又アルミニウム合金電線の単位長さ当りの抵抗が２１０ｍΩ／ｍ以下であれば、デジタル信号の伝送に適した抵抗を担保できる。
【００５２】
また、デジタル信号用電線ＷＤとして用いられるアルミニウム電線又アルミニウム合金電線の単位長さ当りの抵抗は、１１０ｍΩ／ｍ以上としてもよい。
【００５３】
アルミニウム電線又アルミニウム合金電線の単位長さ当りの抵抗が１１０ｍΩ／ｍ以上であるということは、アルミニウム電線又アルミニウム合金電線のサイズが所定の大きさ以下であることを意味している。このため、さらにサイズアップを抑制しつつ屈曲性の低下を抑制することができる。
【００５４】
これらを、銅電線又は銅合金電線との比較において説明すると、技術的意義がより明確となる。
【００５５】
すなわち、日本自動車技術会が定めるＪＡＳＯ Ｄ６１１において、銅電線又は銅合金金電線の自動車用電線が規定されており、導体断面積として、小さい方から順に、０．１３ｍｍ２、０．２２ｍｍ２、０．３５ｍｍ２、０．５ｍｍ２・・・であることが規定されている。これをアルミニウム電線又はアルミニウム合金電線についても適用することを考える。銅又は銅合金とアルミニウム又はアルミニウム合金との比抵抗との関係から検討すると、導体断面積０．１３ｍｍ２であるアルミニウム電線又はアルミニウム合金電線の単位長さ当りの抵抗は３００ｍΩ／ｍ程度であり、０．２２ｍｍ２のアルミニウム電線又はアルミニウム合金電線の単位長さ当りの抵抗は１７６ｍΩ／ｍであり、導体断面積０．３５ｍｍ２のアルミニウム電線又はアルミニウム合金電線の単位長さ当りの抵抗は１１３ｍΩ／ｍ程度であり、導体断面積０．５ｍｍ２のアルミニウム電線又はアルミニウム合金電線の単位長さ当りの抵抗は７７ｍΩ／ｍ程度である。
【００５６】
この検討結果からさらに検討すると、導体断面積０．１３ｍｍ２であるアルミニウム電線又はアルミニウム合金電線では導体抵抗が大き過ぎ、これをデジタル信号用電線ＷＤに用いたとしても電圧降下が大きくなりすぎることが想定され、デジタル信号を伝送するのに必要な性能を得ることが困難と想定される。ここで、デジタル信号用電線ＷＤとしては、導体断面積０．１３ｍｍ２の銅合金電線の使用実績がある。導体断面積０．１３ｍｍ２の銅合金電線の導体抵抗は、２１０ｍΩ／ｍである（図３の点Ｐ参照）。このため、単位長さ当りの抵抗が２１０ｍΩ／ｍ以下のアルミニウム電線又アルミニウム合金電線であれば、大きな電圧降下を抑制して、デジタル信号の伝送に適した抵抗を担保できる。
【００５７】
また、導体断面積０．５ｍｍ２のアルミニウム電線又はアルミニウム合金電線では、軽量化効果が薄れ、また、大きくサイズアップする上、屈曲性が低下して組み付け作業性も低下してしまう。導体断面積０．５ｍｍ２のアルミニウム電線又はアルミニウム合金電線の導体抵抗７７ｍΩ／ｍであるから、導体抵抗７７ｍΩ／ｍを越えるアルミニウム電線又はアルミニウム合金電線を用いれば、サイズアップを抑制しつつ組み付け時の作業性の低下を抑制することができる。
【００５８】
ここで、導体断面積０．５ｍｍ２よりも１段階小さいサイズである導体断面積０．５ｍｍ２のアルミニウム電線又はアルミニウム合金電線の導体抵抗は、１１３ｍΩ／ｍであることからすると（図３の点Ｑ参照）、現実的には、単位長さ当りの抵抗が１１０ｍΩ／ｍ以上のアルミニウム電線又アルミニウム合金電線を用いるとよい。
【００５９】
これらをまとめると、デジタル信号用電線ＷＤとして、図３において、範囲Ｒで示す単位長さ当りの抵抗が１１０ｍΩ／ｍ以上、２１０ｍΩ／ｍ以下の導体抵抗を有するアルミニウム電線又はアルミニウム合金電線を用いてもよい。また、デジタル信号用電線ＷＤとして、導体断面積が０．３５ｍｍ２であるアルミニウム電線又はアルミニウム合金電線を用いてもよい。なお、導体断面積が０．３５ｍｍ２であるアルミニウム電線又はアルミニウム合金電線としては、導体断面積が０．３５ｍｍ２から製造誤差範囲内のものを含む。
【００６０】
以上のように構成された配線システム２０によると、デジタル信号用電線ＷＤは、アルミニウム電線又はアルミニウム合金電線を含むため、信号用電線の少なくとも一部にアルミニウム電線又はアルミニウム合金電線を使用してもサイズアップを抑制しつつ、組み付け時の作業性の低下を抑制することができる。
【００６１】
また、デジタル信号用電線ＷＤが、単位長さ当りの抵抗が２１０ｍΩ／ｍ以下であるアルミニウム電線又アルミニウム合金電線を含むことで、デジタル信号の伝送に適した抵抗を担保することができる。
【００６２】
また、デジタル信号用電線ＷＤが、単位長さ当りの抵抗が１１０ｍΩ／ｍ以上のアルミニウム電線又はアルミニウム合金電線を含むことで、さらにサイズアップを抑制しつつ屈曲性の低下を抑制することができる。
【００６３】
また、複数のデジタル信号用電線ＷＤの全てがアルミニウム電線又はアルミニウム合金電線であれば、より効果的に、信号用電線の少なくとも一部にアルミニウム電線又はアルミニウム合金電線を使用してもサイズアップを抑制しつつ、組み付け時の作業性の低下を抑制することができる。
【００６４】
また、複数のデジタル信号用電線ＷＤの全てが単位長さ当りの抵抗が２１０ｍΩ／ｍ以下であるアルミニウム電線又アルミニウム合金電線であれば、より効果的にデジタル信号の伝送に適した抵抗を担保することができる。
【００６５】
また、複数のデジタル信号用電線ＷＤの全てが、単位長さ当りの抵抗が１１０ｍΩ／ｍ以上のアルミニウム電線又はアルミニウム合金電線であれば、さらにサイズアップを抑制しつつ屈曲性の低下を抑制することができる。
【００６６】
また、アルミニウム電線又はアルミニウム合金電線が、導体断面積が０．３５ｍｍ２である電線であれば、銅電線又は銅合金電線として用いられているサイズである導体断面積が０．３５ｍｍ２であるアルミニウム電線又はアルミニウム合金電線を用いて、サイズアップを抑制しつつ屈曲性の低下を抑制することができる。
【００６７】
また、配線システム２０がアナログ信号用電線ＷＡを含む場合、アナログ信号用電線ＷＡが、銅電線又は銅合金電線を含めば、アナログ信号用電線ＷＡについても、サイズアップを抑制しつつ、組み付け時の作業性の低下を抑制することができる。この場合、デジタル信号用電線ＷＤが、アルミニウム電線又はアルミニウム合金電線を含む構成とした分、配線システム２０全体としてサイズアップを抑制しつつ、組み付け時の作業性の低下を抑制することができる。
【００６８】
図４では、配線システム１２０が単一のワイヤーハーネスＷＨよって構成される例を示す変形例である。同図に示すように、１つの電気機器Ｅ１が単一のワイヤーハーネスＷＨによって他の電気機器Ｅ２、Ｅ３に接続されている。電気機器Ｅ１と電気機器Ｅ２とが電線Ｗによって接続され、電気機器Ｅ１と電気機器Ｅ２とが電線Ｗによって接続されている。電気機器Ｅ１と電気機器Ｅ２とを接続する電線Ｗがデジタル信号用電線ＷＤであり、電気機器Ｅ１と電気機器Ｅ３とを接続する電線Ｗがアナログ信号用電線ＷＡである。デジタル信号用電線ＷＤとアナログ信号用電線ＷＡとは、電気機器Ｅ１側のコネクタＣ１に挿入接続されており、当該コネクタＣ１を通じて１つのワイヤーハーネスの形態にまとめられている。
【００６９】
上記デジタル信号用電線ＷＤとして、アルミニウム電線又アルミニウム合金電線が用いられる。
【００７０】
アナログ信号用電線ＷＡとして、銅電線又は銅合金電線が用いられてもよい。
【００７１】
これにより、デジタル信号用電線ＷＤとして、アルミニウム電線又アルミニウム合金電線を用いた分、サイズアップを抑制しつつ組み付け時の作業性の低下を抑制することができる。
【００７２】
｛変形例｝
なお、上記実施形態及び各変形例で説明した各構成は、相互に矛盾しない限り適宜組合わせることができる。
【００７３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７４】
２０、１２０    配線システム
Ｄ１〜Ｄ６    機器
Ｅ１〜Ｅ３    電気機器
ＧＷ１〜ＧＷ４    ゲートウエイ
Ｗ    電線
ＷＡ    アナログ信号用電線
ＷＤ    デジタル信号用電線
ＷＨ    ワイヤーハーネス
【図１】
2019114496.tif 000003
【図２】
2019114496.tif 000004
【図３】
2019114496.tif 000005
【図４】
2019114496.tif 000006
【手続補正書】
【提出日】平成30年11月15日(2018.11.15)
【手続補正１】
【補正対象書類名】明細書
【補正対象項目名】００５８
【補正方法】変更
【補正の内容】
【００５８】
ここで、導体断面積０．５ｍｍ２よりも１段階小さいサイズである導体断面積０．３５ｍｍ２のアルミニウム電線又はアルミニウム合金電線の導体抵抗は、１１３ｍΩ／ｍであることからすると（図３の点Ｑ参照）、現実的には、単位長さ当りの抵抗が１１０ｍΩ／ｍ以上のアルミニウム電線又アルミニウム合金電線を用いるとよい。
【手続補正２】
【補正対象書類名】明細書
【補正対象項目名】００６８
【補正方法】変更
【補正の内容】
【００６８】
図４では、配線システム１２０が単一のワイヤーハーネスＷＨよって構成される例を示す変形例である。同図に示すように、１つの電気機器Ｅ１が単一のワイヤーハーネスＷＨによって他の電気機器Ｅ２、Ｅ３に接続されている。電気機器Ｅ１と電気機器Ｅ２とが電線Ｗによって接続され、電気機器Ｅ１と電気機器Ｅ３とが電線Ｗによって接続されている。電気機器Ｅ１と電気機器Ｅ２とを接続する電線Ｗがデジタル信号用電線ＷＤであり、電気機器Ｅ１と電気機器Ｅ３とを接続する電線Ｗがアナログ信号用電線ＷＡである。デジタル信号用電線ＷＤとアナログ信号用電線ＷＡとは、電気機器Ｅ１側のコネクタＣ１に挿入接続されており、当該コネクタＣ１を通じて１つのワイヤーハーネスの形態にまとめられている。
【手続補正３】
【補正対象書類名】図面
【補正対象項目名】図４
【補正方法】変更
【補正の内容】
【図４】
2019114496.tif 000007